(57)【要約】【課題】食品を調味料と共に軟包材製の包装袋に密封包装した包装袋において、背シール部を上向きの状態で電子レンジにセットする以外は、その包装袋に何ら加工を加えずに袋内に充満した水蒸気を速やかに袋の外に放出させることのできるようにした電子レンジ用食品包装袋であり、耐衝撃強度を高めることにある。【解決手段】開口用シール部２ａが、背シール部２の一部領域に該背シール部２の外端より内端側及び内端より外端側に向けて各々未シール領域２ｂ、２ｂを設けることにより該各々未シール領域により挟まれた状態にて形成され製袋されている電子レンジ用食品包装袋であって、背シール部２と平行な両側端部に沿って各々サイドシール部５が設けられ、且つ該サイドシール部５のシール強度が、背シール部２のシール強度の２５〜７５％程度に調整されている。【選択図】図３
2006182378.tif 000002
【特許請求の範囲】
【請求項１】
軟包材フィルム１を用いて製袋され、少なくとも背シール部２を備え、該背シール部２の一部領域に狭いシール幅を以て形成した包装袋の内圧により剥離開口可能な開口用シール部２ａを設けた電子レンジ用食品包装袋であって、前記開口用シール部２ａが、前記背シール部２の一部領域に該背シール部２の外端より内端側及び内端より外端側に向けて各々未シール領域２ｂ、２ｂを設けることにより該各々未シール領域２ｂ、２ｂにより挟まれた状態にて形成され、背シール部２のシール長手方向の長さをＨ、背シール部２の内端より外端側に向けて設けた前記未シール領域２ｂのシール長手方向の長さをＬI としたとき、下記式、
ＬI ／Ｈ＝０．５〜０．９
に基づいて製袋されている電子レンジ用食品包装袋において、
前記包装袋本体の背シール部２と平行な片側端部又は両側端部に沿ってサイドシール部５が設けられ、且つ該サイドシール部５のシール強度が、背シール部２のシール強度の２５〜７５％程度に調整されていることを特徴とする電子レンジ用食品包装袋。
【請求項２】
請求項１記載の電子レンジ用食品包装袋であって、ボトムシール部３とサイドシール部５との交点の両シール部内側の角隅部が、所定の曲率半径Ｒの角丸形状又は斜辺形状となっていることを特徴とする電子レンジ用食品包装袋。
【請求項３】
前記背シール部２の外端より内端側に向けて設けた前記未シール領域２ｂのシール長手方向の長さをＬO としたとき、ＬO ＜ＬI であることを特徴とする請求項１又は２記載の電子レンジ用食品包装袋。
【請求項４】
前記背シール部２の外端より内端側に向けて設けた前記未シール領域２ｂのシール長手方向の長さをＬO としたとき、ＬO ＝ＬI であることを特徴とする請求項１又は２記載の電子レンジ用食品包装袋。
【請求項５】
前記背シール部２の外端より内端側に向けて設けた前記未シール領域２ｂのシール長手方向の長さをＬO としたとき、ＬO ＞ＬI であることを特徴とする請求項１又は２記載の電子レンジ用食品包装袋。
【請求項６】
前記背シール部２の外端より内端側に向けて設けた前記未シール領域２ｂのシール長手方向の長さをＬO としたとき、ＬO が５ｍｍ〜４５ｍｍであることを特徴とする請求項１又は２記載の電子レンジ用食品包装袋。
【請求項７】
前記背シール部２の外端より内端側及び内端より外端側に向けて設けた各々前記未シール領域２ｂ、２ｂのうち外端より内端側に向けて設けた未シール領域２ｂの方が未シール領域幅が大であることを特徴とする請求項１乃至６のいずれか１項記載の電子レンジ用食品包装袋。
【発明の詳細な説明】
【技術分野】
【０００１】
本発明は、電子レンジにて加熱調理するための食品を密封包装する電子レンジ用食品包装袋に関する。
【背景技術】
【０００２】
従来より、電子レンジ用食品を密封包装するための柔軟な合成樹脂フィルムや複合フィルムによる軟包材シート製の密封包装用の包装袋がある。
【０００３】
従来、調味料などを含んだ食品を、軟包材により製袋された包装袋に密封包装し、そのままの状態で食品を包装袋から出すことなく電子レンジで高周波にて加熱調理をした場合、袋内に調味液や食品から発生した水蒸気が飽和し、袋が急激に膨張する。
【０００４】
そのため、袋の不特定個所が破壊され易く、生魚など内容物を調味液と共に調理することを目的とした場合は、調味液が外部にこぼれてしまったり、あるいは袋の急激な膨張による電子レンジ内での破裂の危険が生じる。
【０００５】
そこで、図４に示すように、例えばポリオレフィン系フィルムの軟包材１を使用した多層構成の平袋状の密封包装袋Ａであって、その底端部を密封シールしたボトムシール部３と、左右両側端部を密封シールしたサイドシール部５、５を備え、上部開口部１ａより内容物を充填するようにした密封包装袋Ａにおいて、その一方の側端部に形成されたサイドシール部５の一部に、未シール部５ｂを形成して、製袋用シーラント層にイージーピール機能を付与したシール幅の狭い内圧にて剥離開口する開口用シール部５ａの個所を設け、袋内の水蒸気圧によりその個所を破壊し、水蒸気を外部に放出させる機能を付与した袋がある。
【０００６】
このような袋のサイドシールにシール幅の狭い個所を設けた密封包装袋は、袋の側端部のシール幅の狭い個所を破壊して側方に水蒸気を放出させるため、袋内の調味液も同時に袋の側方より外部へ放出し易いものである。
【０００７】
また、この他に、袋の側方ではなく中央部に事前に穴を開け、接着テープにより再封し、加熱調理する際にテープを取り去り、その状態で穴を上向きにして電子レンジにて加熱調理することで袋内の水蒸気を袋外に放出させる機能を持たせた袋がある。
【０００８】
これは、袋の中央部から上方に水蒸気を放出させるため、比較的袋内の調味液は袋の外部へ放出され難いものであるが、袋への穴開け、接着テープの貼着など密封製袋工程が複雑となり、金額的にも高額な袋となってしまう。また、使用者が電子レンジにて加熱する直前に道具を使用して蒸気放出穴を開ける方法もあるが手間が掛かり面倒であった。
【０００９】
また、従来の包装袋Ａとしては、図５に示すように、背シール部２を形成するとともに、その包装袋Ａの下端にボトムシール部３を形成し、左右両端部にサイドシール部５、５を形成した包装形態があり、背シール部２の一部領域に内端より外端側に向かって未シール領域２ｂを形成して開口用シール部２ａを形成したものがある。
【００１０】
また、包装袋の背シール部を上向きの状態で電子レンジにセットして、その包装袋に何ら加工を加えることなく袋内に充満した水蒸気を速やかに袋の外に放出させて破裂を回避せさ、加熱された調味液などを、包装袋の外に漏れだすことなく、その包装袋内に良好に保持することができる対策としては特許第３５９６２５４号などがある。
【００１１】
以下に、本発明の技術に関連する公知文献を記載する。
【特許文献１】特許第３５９６２５４号公報
【発明の開示】
【発明が解決しようとする課題】
【００１２】
本発明の課題は、食品を調味料と共に軟包材製の包装袋に密封包装した包装袋において、そのままの状態で食品を袋から取り出すことなく電子レンジで加熱調理する場合、袋の背シール部を上向きの状態で電子レンジにセットする以外は、その包装袋に何ら加工を加えることなく袋内に充満した水蒸気を速やかに袋の外に放出させることのできるようにすることにある。
【課題を解決するための手段】
【００１３】
本発明の請求項１に係る発明は、軟包材フィルム１を用いて製袋され、少なくとも背シール部２を備え、該背シール部２の一部領域に狭いシール幅を以て形成した包装袋の内圧により剥離開口可能な開口用シール部２ａを設けた電子レンジ用食品包装袋であって、前記開口用シール部２ａが、前記背シール部２の一部領域に該背シール部２の外端より内端側及び内端より外端側に向けて各々未シール領域２ｂ、２ｂを設けることにより該各々未シール領域２ｂ、２ｂにより挟まれた状態にて形成され、背シール部２のシール長手方向の長さをＨ、背シール部２の内端より外端側に向けて設けた前記未シール領域２ｂのシール長手方向の長さをＬI としたとき、下記式、
ＬI ／Ｈ＝０．５〜０．９
に基づいて製袋されている電子レンジ用食品包装袋において、
前記包装袋本体の背シール部２と平行な片側端部又は両側端部に沿ってサイドシール部５が設けられ、且つ該サイドシール部５のシール強度が、背シール部２のシール強度の２５〜７５％程度に調整されていることを特徴とする電子レンジ用食品包装袋である。
【００１４】
本発明の請求項２に係る発明は、上記請求項１に係る電子レンジ用食品包装袋であって、ボトムシール部３とサイドシール部５との交点の両シール部内側の角隅部が、所定の曲率半径Ｒの角丸形状又は斜辺形状となっていることを特徴とする電子レンジ用食品包装袋である。
【００１５】
本発明の請求項３に係る発明は、上記請求項１又は２に係る電子レンジ用食品包装袋において、前記背シール部２の外端より内端側に向けて設けた前記未シール領域２ｂのシール長手方向の長さをＬO としたとき、ＬO ＜ＬI であることを特徴とする電子レンジ用食品包装袋である。
【００１６】
本発明の請求項４に係る発明は、上記請求項１又は２に係る電子レンジ用食品包装袋において、前記背シール部２の外端より内端側に向けて設けた前記未シール領域２ｂのシール長手方向の長さをＬO としたとき、ＬO ＝ＬI であることを特徴とする電子レンジ用食品包装袋である。
【００１７】
本発明の請求項５に係る発明は、上記請求項１又は２に係る電子レンジ用食品包装袋において、前記背シール部２の外端より内端側に向けて設けた前記未シール領域２ｂのシール長手方向の長さをＬO としたとき、ＬO ＞ＬI であることを特徴とする電子レンジ用食品包装袋である。
【００１８】
本発明の請求項６に係る発明は、上記請求項１又は２に係る電子レンジ用食品包装袋において、前記背シール部２の外端より内端側に向けて設けた前記未シール領域２ｂのシー
ル長手方向の長さをＬO としたとき、ＬO が５ｍｍ〜４５ｍｍであることを特徴とする電子レンジ用食品包装袋である。
【００１９】
本発明の請求項７に係る発明は、上記請求項１乃至６のいずれか１項に係る電子レンジ用食品包装袋において、前記背シール部２の外端より内端側及び内端より外端側に向けて設けた各々前記未シール領域２ｂ、２ｂのうち、外端より内端側に向けて設けた未シール領域２ｂの方が未シール領域幅が大であることを特徴とする電子レンジ用食品包装袋である。
【発明の効果】
【００２０】
本発明の電子レンジ用食品包装袋は、軟包材フィルム１を用いて製袋され、少なくとも背シール部２を備え、該背シール部２の一部領域に狭いシール幅を以て形成した包装袋の内圧により剥離開口可能な開口用シール部２ａを設けた電子レンジ用食品包装袋であり、前記開口用シール部２ａが、前記背シール部２の一部領域に該背シール部２の外端より内端側及び内端より外端側に向けて各々未シール領域２ｂ、２ｂを設けることにより該各々未シール領域２ｂ、２ｂにより挟まれた状態にて形成され、背シール部２のシール長手方向の長さをＨ、背シール部２の内端より外端側に向けて設けた前記未シール領域２ｂのシール長手方向の長さをＬI としたとき、下記式、
ＬI ／Ｈ＝０．５〜０．９
に基づいて製袋されている電子レンジ用食品包装袋であって、前記包装袋本体の背シール部２と平行な片側端部、又は両側端部に沿って、サイドシール部５が設けられ、且つ該サイドシール部５のシール強度は、背シール部２のシール強度の２５〜７５％に調整されているので、内容物を充填して密封シールし包装された状態の本発明の電子レンジ用食品包装袋は、袋本体の外周全てが、所定の幅のシール部によって囲まれるため、ダンボールケース等の包装容器内に一括包装する際や、不用意に垂直方向に床面等に落下させた時に、また特に内容物が冷凍状態にある時に、袋本体のフィルムが袋内の内容物と包装容器又は床面との間に挟まれてサイドシール部５が衝撃力を受けても、背シール部２のシール強度の２５〜７５％のシール強度に調整され、背シール部２のシール強度より弱い前記各々サイドシール部の袋内側ラインは、その衝撃力を受けて袋外側方向に後退して、該サイドシール部５、５や、他の背シール部２やボトムシール部３、トップシール部４に対する衝撃力を緩和する緩衝作用が生じるため、サイドシール部や他のシール部、又はそのシール部近辺のフィルムには、衝撃力によるエッジ切れや貫通孔が発生したりすることを回避することができる効果がある。
【００２１】
また、本発明の電子レンジ用食品包装袋は、食品を調味料と共に軟包材製の包装袋に密封包装し、そのままの状態で食品を袋から取り出すことなく電子レンジで加熱調理することができ、包装袋の背シール部に開口用シール部を設け、背シール部を上向きの状態で電子レンジにセットする以外は、その包装袋に何ら加工を加えることなく袋内に充満した水蒸気を速やかに袋の外に放出させて破裂を回避することができ、また、加熱された調味液などは、開口部が包装袋の上面に形成されるために外に漏れだすことなくその包装袋内に良好に保持することができる効果がある。
【００２２】
また、本発明の電子レンジ用食品包装袋は、電子レンジによる加熱調理を終了した時点で、背シール部はその中央部に設けた開口用シール部が袋内部の飽和水蒸気圧により開口しており、その開口部分の両側フィルムを両外側に引っ張ることで、包装袋を調味液などを外に零さずに容易且つ安全に受皿状に拡張開口することができる効果がある。
【発明を実施するための最良の形態】
【００２３】
本発明の電子レンジ用食品包装袋は、図１の平面図、図３の平面図に示すような形状の包装袋Ａであって、内面にシーラント層（内面同士を熱圧により接着シール可能な熱融着
性の樹脂層）を備えた矩形状の軟包材フィルム１を平行な折目ａ、ｂより３つ折りにして、中央部又は中央部より端部寄りなど適宜位置にて重ね合わせ、その３つ折りした軟包材フィルム１の両端部の同じ内面同士を互いに合掌形式に重ね合わせ、その重ね合わせ内面を熱圧にて接着シールして背シール部２が形成されている。
【００２４】
そして、前記３つ折り軟包材フィルム１の背シール部２と平行な片側端部、又は両側端部に沿ってサイドシール部５が設けられており、そのサイドシール部５のシール強度が、背シール部２のシール強度の２５〜７５％程度に設定されているものである。
【００２５】
サイドシール部５のシール強度を、背シール部２のシール強度の２５〜７５％程度に設定する方法としては、本発明においては特に限定されるものではないが、例えば、軟包材フィルム１の最内面側のシーラント層に対するヒートシール手段によるサイドシール部５のヒートシール温度を、背シール部２のヒートシール温度よりも低温に設定して行う方法や、あるいは、軟包材フィルム１のサイドシール部５に相当する部分の最内面側のシーラント層の融点を他の部分の最内面側のシーラント層の融点よりも高く設定して行う方法、又は軟包材フィルム１の最内面側のシーラント層の融点を適宜に設定して行う方法等がある。
【００２６】
そして、前記３つ折り軟包材フィルム１の下端部には、背シール部２に対して直交方向に熱圧にて接着シールされたボトムシール部３が形成され、上端部には内容物を充填するための未シール状態の上部開口部１ａを備え、後において熱圧により接着シールされてトップシール部が形成されるものである。なお、背シール部２のボトムシール部３と交差する下端部、又は／及び、トップシール部４と交差する上端部は、それぞれボトムシール部３、トップシール部４に上に重ね合わせられて、互いに一体的に接着シールされて製袋されていてもよいし、あるいは互いに分離した状態に製袋されていてもよい。そして、このような分離した状態は、製袋に使用する軟包材フィルム１の最外面フィルムが、最内面のシーラント層よりも高融点であるために熱融着シールによって融着されないことによって生じる。
【００２７】
また、本発明の包装袋Ａは、必要に応じて、図１に示すように、ボトムシール部３とサイドシール部５との交点の両シール部内側の角隅部が、所定の曲率半径Ｒの角丸形状又は斜辺形状となっている。
【００２８】
前記背シール部２の長手方向の略中間部には、シール幅の狭い開口用シール部２ａが設けられている。
【００２９】
この開口用シール部２ａはシール幅が狭いため、電子レンジ加熱調理時に密封状態の袋内に所定圧以上の内圧が生じた際には、接着シールされた内面同士が互いに剥離して、開口用シール部２ａは開口できるようになっており、該開口用シール部２ａのシール幅の狭さによって、袋内に生じる内圧によるシール部２ａの剥離開口し易さを設定することができる。
【００３０】
前記開口用シール部２ａは、例えば、図１に示すように、前記背シール部２における長手方向の略中間部である一部領域に、該背シール部２の内端Ｉ−２より外端Ｏ−２側に向けて（包装袋の内側から外側方向に向けて）未シール領域２ｂを設け、さらに、該背シール部２の外端Ｏ−２より内端Ｉ−２側に向けて（包装袋の外側から内側方向に向けて）未シール領域２ｂを設けることにより形成されて、開口用シール部２ａは、各々未シール領域２ｂ、２ｂによって挟まれた状態となっている。
【００３１】
上記発明の電子レンジ用食品包装袋Ａにおいては、密封状態の袋内に所定圧以上の内圧
が生じた際に、開口用シール部２ａを確実に開口させるために、この開口用シール部２ａ領域の内面に、その領域以外の内面に形成されたシーラント層よりも剥離性のあるシーラント層を塗布形成し、密封状態の袋内に所定圧以上の内圧が生じた際に、接着シールされた内面同士が互いに容易に剥離して、開口用シール部２ａが確実に開口できるようにすることが望ましい。
【００３２】
上記包装袋Ａの製袋用の軟包材フィルム１は、その少なくとも最内面側（接着シール側）にシーラント層が形成された２層乃至３層以上の積層フィルム（複合フィルム）が使用されるが、その最内面側のシーラント層の合成樹脂としては、熱融着性の良好な比較的低融点のポリエチレン、ポリプロピレンなどのポリオレフィン系樹脂が適当であり、また、ポリエチレン系イージーピール性シーラント層としてはポリエチレンにポリプロピレンとポリスチレンとをブレンドしたポリマーアロイ（フィルム）が適当であり、前記合成樹脂によるシーラント層の熱シール後の剥離は凝集剥離（凝集破壊）によって剥離できるものであって、その剥離強度が、５００ｇ／１５ｍｍ〜１０００ｇ／１５ｍｍ程度が適当であり、また、それより外面側に積層される合成樹脂としては、包装袋としての所定の適性（ガスバリア性、透湿性、引き裂き強度、柔軟性など）を保持する合成樹脂であれば特に限定されるものではない。なお、軟包材フィルム１の積層例とその層厚を下記１）〜３）に示す。
１）ポリエチレンテレフタレート（12μｍ）／無延伸ポリプロピレン（50μｍ）        
無延伸ポリプロピレン（ＣＭＰＳ０１３Ｃ；東セロ（株）製）
２）ナイロン（15μｍ）／無延伸ポリプロピレン（25μｍ）
無延伸ポリプロピレン（ＴＸ２５４Ｎ；大日本インキ（株）製）
３）ポリエチレンテレフタレート（25μｍ）／無延伸ポリプロピレン（25μｍ）        
無延伸ポリプロピレン（ＴＸ２５４Ｎ；大日本インキ（株）製）
４）ナイロン（15μｍ）／接着剤（ウレタン系二液硬化型）／ポリエチレンにポリプロ  
ピレンとポリスチレンとをブレンドしたポリマーアロイ（フィルム）
５）ナイロン（15μｍ）／ウレタン系印刷インキ層／接着剤（ウレタン系二液硬化型）  
／ポリエチレンにポリプロピレンとポリスチレンとをブレンドしたポリマーアロイ
また、特に開口用シール部２ａの領域内面には、前記シーラント層用の合成樹脂よりも高融点をもつ熱融着性の合成樹脂を塗布して使用することにより、開口用シール部２ａに袋内圧による確実性のある容易剥離開封性能をもたせることができる。
【００３３】
また、開口用シール部２ａの領域内面に、シリコーン樹脂、パラフィン、又はこれらの１方若しくは両方を含有する合成樹脂を適用することにより、開口用シール部２ａに袋内圧による確実性のある剥離開封性能をもたせることができる。
【００３４】
図２（ａ）は、本発明の電子レンジ用食品包装袋Ａ内に、上部開口部１ａより電子レンジ加熱調理用の食品を充填して、該上部開口部１ａを内面シーラント層にて熱圧により接着シールしてトップシール部４を設け密封包装した密封包装袋の斜視図である。
【００３５】
この密封包装袋内の食品を電子レンジで加熱調理する際には、この包装袋を背シール部２を上にして、そのままの状態で、あるいは紙製、陶器製の受皿に載せて電子レンジ内にセットする。また、背シール部２を、予め包装袋面より立ち起こしてから電子レンジ内に入れることが適当である。
【００３６】
電子レンジによる加熱によって、密封包装袋内の食品や調味液から水蒸気が発生し、包装袋は水蒸気によって膨張して飽和し、袋内に内圧が発生するとともに包装袋のフィルムに張力が掛かる。
【００３７】
そして、図２（ｂ）に示すように、やがて密封包装袋の内圧と張力によって、未シール
領域２ｂに包装袋の内側より圧力が掛かり、背シール部２の開口用シール部２ａの接着シールされたフィルム内面が剥離して、背シール部２に排気用の開口部６が形成され、密封包装袋は密封性が解除されて破裂を回避することができ、加熱された調味液は、開口部６が包装袋Ａの上面に形成されるためにその包装袋Ａ内に保持される。
【００３８】
上記図２（ａ）に示す実施の形態では、電子レンジによる加熱によって、密封包装袋Ａ内の食品や調味液から水蒸気が発生し、包装袋は水蒸気によって膨張して飽和し、袋内に内圧が発生するとともに包装袋のフィルムに張力が掛かる。
【００３９】
そして、やがて密封包装袋の内圧と張力によって、背シール部２においては、その長手方向全長に亘ってシール剥離する方向への張力が掛かって徐々に内側より外側に向かって剥離が生じる。
【００４０】
その際に、図１、図２（ａ）に示す狭いシール幅の開口用シール部２ａの剥離は、他の背シール部２よりも速い時点で背シール部２の外端Ｏ−２より内端Ｉ−２方向に形成した前記未シール部２ｂに到達して包装袋Ａは開口し、図２（ｂ）に示す様に開口部６が形成されて、包装袋Ａは密封性が解除されて破裂を回避することができる。
【００４１】
図３は、本発明の電子レンジ用食品包装袋を説明する平面図であり、このようにして外端Ｏ−２、内端Ｉ−２より設けたそれぞれ前記未シール領域２ｂ、２ｂのそれぞれ未シール幅ＤO 、ＤI は、そのいずれか一方が大きく他方が小さくても、略等しい幅であってもいずれでもよい。
【００４２】
また、前記未シール領域２ｂ、２ｂのそれぞれ長さＬO 、ＬI は、そのいずれか一方が長く他方が短くても、略等しい長さであってもいずれでもよいが、内端Ｉ−２側の未シール領域２ｂは、包装袋Ａの膨張時における背シール部２の立ち起こしを良くするためのものであり、包装袋Ａのサイズ（言い換えれば背シール部２の長さ）に対応して適宜な長さに設定することが望ましく、また、外端Ｏ−２側の未シール領域２ｂの長さは、包装袋Ａの膨張時の内圧によって開口用シール部２ａが剥離した際に、少なくとも袋Ａ内のエアーを外に逃がすための役目を果たすことができる程度でよい。
【００４３】
しかしながら本発明においては、図１、図２（ａ）、図３に示すように、特に、外端Ｏ−２側より形成した未シール領域２ｂの未シール幅ＤO を、内端Ｉ−２側より設けた未シール領域２ｂの未シール幅ＤI に対して大（ＤO ＞ＤI ）とすることが好ましい。
【００４４】
また、本発明においては、特に、外端Ｏ−２側より形成した未シール領域２ｂの未シール長さＬO を、内端Ｉ−２側より設けた未シール領域２ｂの未シール長さＬI に対して短くすることが、好ましいものである。
【００４５】
このように、その未シール幅ＤO 、ＤI 、及び未シール長さＬO 、ＬI を、適宜に設定することによって、電子レンジにて加熱調理する際に袋内に発生した内圧が、包装袋のフィルムに適正な張力を掛けて、背シール部２の起き上がりを早くすることができ、目的とする開口用シール部２ａのシール剥離のための張力を天地シール部３、４より開口用シール部２ａに対してより早く起動させることができ、開口用シール部２ａでの確実な剥離を生じさせることができる。
【００４６】
上記図１に示した包装袋Ａにおいて、その天地方向の縦長さＨ、横幅Ｗ、背シール部２の幅Ｓ（背シール部２の長さは縦長さＨに相当）、アウター未シール部２ｂの幅ＤO 、インナー未シール部２ｂの幅ＤI とした時、下記のような関係がある。
【００４７】
ＤO ≦幅ＤI 
開口用シール部２ａの幅＝Ｓ−（ＤO ＋ＤI ）
そして、内容物の充填された包装袋Ａの開口用シール部２ａにおける確実な接着シール強度の保持と、その包装袋Ａの加熱調理における膨張時の内圧による確実な開口剥離を行うための適正な開口用シール部２ａの幅は、例えば、
２ｍｍ≦Ｓ−（ＤO ＋ＤI ）≦３．５ｍｍ
である。
【００４８】
また、それぞれアウター未シール部２ｂの長さＬO 、インナー未シール部２ｂの長さＬI とした時、背シール部２の包装袋Ａの膨張時の立ち起こしを良好にするための関係式として、例えば下記のような関係式を設定することができる。
【００４９】
ＬI ／Ｈ＝０．５〜０．９
例えば、上記図１に示した包装袋Ａにおける具体例を下記に示す。
【００５０】
Ｈ＝１７０ｍｍ  Ｗ＝１６０ｍｍ  Ｓ＝１０ｍｍ  
ＤO ＝５ｍｍ  ＤI ＝２ｍｍ  ＬO ＝５ｍｍ〜４５ｍｍ  ＬI ＝１１０ｍｍ
【図面の簡単な説明】
【００５１】
【図１】本発明の電子レンジ用食品包装袋の一実施形態を示す平面図。
【図２】（ａ）は本発明の電子レンジ用食品包装袋を用いて食品を密封包装した密封包装袋の斜視図、（ｂ）は電子レンジで加熱調理した状態の密封包装袋を説明する斜視図。
【図３】本発明の電子レンジ用食品包装袋を説明する平面図。
【図４】従来の電子レンジ用食品包装袋を説明する平面図。
【図５】従来の電子レンジ用食品包装袋を説明する平面図。
【符号の説明】
【００５２】
Ａ…電子レンジ用食品包装袋
１…軟包材フィルム
２…背シール部
２ａ…狭いシール幅の開口用シール部
２ｂ…未シール領域
３…ボトムシール部
４…トップシール部
５…サイドシール部
５ａ…狭いシール幅の開口用シール部
５ｂ…未シール部
６…剥離開口部
【図１】
2006182378.tif 000003
【図２】
2006182378.tif 000004
【図３】
2006182378.tif 000005
【図４】
2006182378.tif 000006
【図５】
2006182378.tif 000007